(57)【要約】【課題】少なくとも主要部分において共通構成として異サイズの光ファイバを確実に保持し、製造コストの低減を図った光ファイバホルダーを提供する。【解決手段】ハウジング本体には、ハウジング本体内部の空間部に大きな寸法の光ファイバと小さな寸法の光ファイバとを収納可能で、空間部に空間部の側壁から中央部に向けて突出して、双方の光ファイバの光ファイバ外皮に食い込み可能な突起を備えた。蓋部が回動された時に小さいサイズの光ファイバの光ファイバ外皮に接触し、更に回動されると光ファイバを空間部の下方へと押し下げ、この時に側壁から中央部に向けて突出する突起が光ファイバ外皮に食い込むように作用する突起した押し込み部を備えた。【選択図】図１
2010197553.tif 000002
【特許請求の範囲】
【請求項１】
ハウジング本体の一方から他方へと貫通し、一端部が解放された空間部を有して、該空間部に、光ファイバ素線およびこれを被覆する光ファイバ外皮を備えた光ファイバが挿入可能なハウジングと、該ハウジングに回動自在に一体とされ、前記空間部を塞ぐ蓋部と、から形成された光ファイバホルダーにおいて、
前記ハウジング本体は、前記空間部に大きな寸法の光ファイバと小さな寸法の光ファイバとの少なくとも２種類の光ファイバを収納可能で、前記空間部に該空間部の側壁から中央部に向けて突出して、双方の光ファイバの光ファイバ外皮に食い込み可能な突起を備え、前記蓋部はいずれかの光ファイバを前記空間部に押し込んで光ファイバ外皮を前記突起に食い込ませること
を特徴とする光ファイバホルダー。
【請求項２】
請求項１において、前記突起は、前記空間部に面する面に、前記光ファイバ外皮の上面に接触し、前記蓋部が回動された時に小さいサイズの光ファイバの光ファイバ外皮に接触し、更に回動されると側壁から中央部に向けて突出する前記突起が前記光ファイバ外皮に食い込むように作用し、大きなサイズの光ファイバを挿入する時に挿入時の抵抗力によって前記蓋部に対して外方に曲げられることを特徴とする光ファイバホルダー。
【請求項３】
請求項１または２のいずれかにおいて、前記ハウジング本体はコネクタ部に一体化されていることを特徴とする光ファイバホルダー。
【請求項４】
請求項１から３のいずれかにおいて、前記空間部には底部設定板が配設され、小さいサイズの光ファイバが押し込まれて該底部設定板上に載置されることを特徴とする光ファイバホルダー。
【請求項５】
請求項１の光ファイバホルダーに光ファイバを保持する方法において、同一形状の光ファイバホルダーを用いて、大きなサイズの光ファイバおよび小さなサイズの光ファイバの光ファイバ外皮のいずれかについて前記突起に食い込ませて、同一形状の光ファイバホルダーに異サイズの光ファイバを保持するようにしたことを特徴とする光ファイバホルダーに光ファイバを保持する方法。
【請求項６】
請求項２から４のいずれかの光ファイバホルダーに光ファイバを保持する方法において、小さなサイズの光ファイバを挿入する時には、前記蓋部の突起を光ファイバー外皮に接触させ、大きなサイズの光ファイバを挿入する時には、該突起を曲げあるいは切断して光ファイバー外皮に接触させ、前記蓋部の押し込み部によって、前記蓋部が回動された時に光ファイバを空間部の下方へと押し下げ、この時に側壁から中央部に向けて突出する前記突起が前記光ファイバ外皮に食い込むように作用させ、同一形状の光ファイバホルダーに異サイズの光ファイバを保持するようにしたことを特徴とする光ファイバホルダーに光ファイバを保持する方法。
【発明の詳細な説明】
【技術分野】
【０００１】
本発明は、光ファイバホルダーおよび光ファイバホルダーによる光ファイバ保持方法に関する。
【背景技術】
【０００２】
光コネクタに一本化して光ファイバホルダーが用いられることがある。光コネクタには光ファイバ素線を有するフェルールが内蔵される。このような光コネクタに一本化される光ファイバホルダーはハウジング本体の一方から他方へと貫通し、一端部が解放された空間部を有して、この空間部に、光ファイバ素線とこれを被覆する光ファイバ外皮とを備えた光ファイバが挿入可能なハウジングと、このハウジングに回動自在に一体化され、空間部を塞ぐ蓋部（蓋体）とから形成される。
【０００３】
特許文献１には、内蔵光ファイバを有するフェルールと、フェルールを収容し後方から光ファイバを挿入可能なハウジングと、端部で光ファイバを露出させた光ファイバの外皮を把持してハウジングに装着可能な外皮把持部を備え、外皮固定部に対向した形で爪部を形成した構造が記載されている。
【０００４】
特許文献２には、光ファイバ素線の先端側が載置される溝部が形成された素線載置部と、光ファイバ素線の先端側を溝部に押さえ付ける開閉自在の素線押さえ部と、溝部の長手方向に対して素線押さえ部側に傾斜するように形成され、光ファイバ素線の基端側が載置される傾斜載置部とを備えた素線ホルダが記載されている。
【先行技術文献】
【特許文献】
【０００５】
【特許文献１】特開２００７−１９２８７１号公報
【特許文献２】特開２００７−１２１８８８号公報
【発明の概要】
【発明が解決しようとする課題】
【０００６】
現状の光ファイバとして、ドロップ・イン把持断面が、例えば２．０×３．１（±０．２）ｍｍの光ファイバが使用されている。将来ドロップ・インドア把持断面が、例えば１．６×２．０（±０．１）ｍｍの光ファイバを併用して使用することが計画されている。
【０００７】
このような場合に、異サイズの光ファイバにそれぞれ専用の光ファイバを用いて光ファイバを保持するのではコスト高になるおそれがある。
【０００８】
本発明は、かかる点に鑑みて少なくとも主要部分において共通構成として異サイズの光ファイバを確実に保持することが出来、製造コストが高くなることを抑えるようにした光ファイバホルダーおよびこれを使用した光ファイバの保持方法を提供することを目的とする。
【課題を解決するための手段】
【０００９】
本発明は、ハウジング本体の一方から他方へと貫通し、一端部が解放された空間部を有して、該空間部に、光ファイバ素線およびこれを被覆する光ファイバ外皮を備えた光ファイバが挿入可能なハウジングと、該ハウジングに回動自在に一体とされ、前記空間部を塞ぐ蓋部と、から形成された光ファイバホルダーにおいて、
前記ハウジング本体は、前記空間部に大きな寸法の光ファイバと小さな寸法の光ファイバとの少なくとも２種類の光ファイバを収納可能で、前記空間部に該空間部の側壁から中央部に向けて突出して、双方の光ファイバの光ファイバ外皮に食い込み可能な突起を備え、前記蓋部はいずれかの光ファイバを前記空間部に押し込んで光ファイバ外皮を前記突起に食い込ませること
を特徴とする光ファイバホルダーを提供する。
【００１０】
本発明は、また前記突起が、前記空間部に面する面に、前記光ファイバ外皮の上面に接触し、前記蓋部が回動された時に小さいサイズの光ファイバの光ファイバ外皮に接触し、更に回動されると側壁から中央部に向けて突出する前記突起が前記光ファイバ外皮に食い込むように作用し、大きなサイズの光ファイバを挿入する時に挿入時の抵抗力
によって前記蓋部に対して外方に曲げられること
を特徴とする光ファイバホルダーを提供する。
【００１１】
本発明は、また、前記ハウジング本体はコネクタ部に一体化されていること
を特徴とする光ファイバホルダーを提供する。
【００１２】
本発明は、また、前記空間部には底部設定板が配設され、小さいサイズの光ファイバが押し込まれて該底部設定板上に載置されること
を特徴とする光ファイバホルダーを提供する。
【００１３】
本発明は、また、前記光ファイバホルダーに光ファイバを保持する方法において、同一形状の光ファイバホルダーを用いて、大きなサイズの光ファイバおよび小さなサイズの光ファイバの光ファイバ外皮のいずれかについて前記突起に食い込ませて、同一形状の光ファイバホルダーに異サイズの光ファイバを保持するようにしたこと
を特徴とする光ファイバホルダーに光ファイバを保持する方法を提供する。
【００１４】
本発明は、また、前記光ファイバホルダーに光ファイバを保持する方法において、小さなサイズの光ファイバを挿入する時には、前記蓋部の突起を光ファイバー外皮に接触させ、大きなサイズの光ファイバを挿入する時には、該突起を曲げあるいは切断して光ファイバー外皮に接触させ、前記蓋部の押し込み部によって、前記蓋部が回動された時に光ファイバを空間部の下方へと押し下げ、この時に側壁から中央部に向けて突出する前記突起が前記光ファイバ外皮に食い込むように作用させ、同一形状の光ファイバホルダーに異サイズの光ファイバを保持するようにしたこと
を特徴とする光ファイバホルダーに光ファイバを保持する方法を提供する。
【発明の効果】
【００１５】
本発明では、上述したように、空間部に大きな寸法の光ファイバと小さな寸法の光ファイバとを収納可能で、空間部に空間部の側壁から中央部に向けて突出して、双方の光ファイバの光ファイバ外皮に食い込み可能な突起を備え、底面部から中央部に向けて突出して、大きなサイズの光ファイバの光ファイバ外皮に食い込み可能な他の突起を備えるようにしているので、ハウジング本体について共通構成とすることができて、異サイズの光ファイバ収納に対応するのに製造コスト高を抑えることができる。
【００１６】
また、本発明では、蓋部構成についても共通構成とすることができ、この構成によれば異サイズの光ファイバ収納に対応するのに更に製造コスト高を抑えることができる。
【図面の簡単な説明】
【００１７】
【図１】本発明の実施例のＡタイプ光ファイバホルダーの構成を示す斜視図。
【図２】本発明の実施例のＢタイプ光ファイバホルダーの構成を示す斜視図。
【図３】図１に対応し、本実施例の作用を説明する図。
【図４】図２に対応し、本実施例の作用説明する図。
【発明を実施するための形態】
【００１８】
以下、本発明の実施例を図面に基づいて説明する。
【実施例】
【００１９】
図１は、本発明の実施例である光ファイバホルダーＡタイプ１００Ａを、そして、図２は光ファイバホルダーＢタイプ１００Ｂを示す。両者は類似構造であるので本実施例の構成の説明を図１に基づいて行い、相違する箇所については図２を用いて説明することとする。
【００２０】
図１において、光ファイバホルダー１００Ａは、下部のハウジング１および上部の蓋部２から構成され、ハウジング１にはコネクタ部３が一体化されている。従って、コネクタ部３までも含めて本実施例を表現する場合には光コネクタということになる。
【００２１】
ハウジング１は外側のハウジング本体４とその内部に形成される空間部５から構成され、空間部５はハウジング本体４のファイバ配設方向の一方から他方へ（図では右から左）貫通しており、ハウジング本体４の上面は解放され、上面は平坦とされる。この空間部５内には光ファイバが配設され、光ファイバにコネクタ部内のフェルールに接続される。図ではハウジング本体４の外面に窪み６が形成してある。
【００２２】
蓋部２は、ハウジング本体４に回動自在に一体として構成され、空間部５の上方端の解放端を塞ぐことができる。
【００２３】
蓋部２は、ハウジング本体４に回動自在に接続されたフタ部７と、フタ部７に一体とされ、直角方向に設けた固定部８とから形成され、フタ部７には回動した時に空間部５に直面する面に、上部平坦の突起部１０が形成され、固定部８には窪み６に保合する係合部９が形成されている。係合部９が窪み６に保合することによって蓋部２による空間部５の塞ぎがなされ、この状態が保持される。
【００２４】
以上のようにハウジング１と蓋部２とは形成され、蓋部２を回動することによって、ハウジング本体４に設けた空間部５を塞ぐことができる。
【００２５】
図２に示す光ファイバホルダーＢタイプも同様の構成を有している。
【００２６】
光ファイバホルダー１００Ａとコネクタ部３との間には仕切部１１が設けられ、コネクタ部３には２組の対となった指し込みプラグ１２が設けられている。
【００２７】
以上説明した光ファイバホルダー１００Ａおよびこれに一体化されたコネクタ部３の構成はよく知られている。
【００２８】
このような構成において、空間部５には、この空間部５の両側の側壁から空間部の中央部に向けて突出する数枚の（図１では２つ、図２では４つ）突起１５を形成する。突起１５は断面がＶ字状、すなわち三角形状をなし、先鋭が尖った鋭角としてある。図１の例では空間部５によって形成される溝深さは通常の位置１６に比べて深くしてある形状を示す。突起１５の上下方向の長さは空間部５の端部を除いたほぼ全面とする。この実施例では三角錐状の突起としてあるが、突起であればこの形状に限定されない。両側の壁から突出する突起５は向かい合って一対の狭まり間隙を形成する。
【００２９】
図２において、この光ファイバホルダー１００Ｂにあっては、図１と同様に両側の壁から突出する突起１５を備え、更に蓋部２の突起部１０に一対の突起１７を備える。突起１７は突起部１０の上面平面から外方に傾斜して折れ曲がり易くした形で上面平面と同一端で形成してある。
【００３０】
空間部５を構成する溝の底部には底部設定板１８が設けてある低部設定板１８にその外周部において、突起１５に対して空間が形成され、この空間には光ファイバ外皮が押し込み可能とされる。
【００３１】
以上の構成において、突起１５および突起１７の作用について説明する。
本実施例では、横幅および上下方向の長さが異なるサイズの光ファイバを１つのあるいは主要部構成が同じである光ファイバホルダー１００によって保持するものである。
【００３２】
図３は、図１の構成による作用を、そして図４は図２の構成による作用を説明する図である。これらの図において空間部５の溝の深さは通常の光ファイバを挿入可能な深さにして表示してある。
図３および図４共、ハウジング１に蓋部２が閉じられた状態にある。
【００３３】
図３に示す空間部５には、太径ドロップ・インドア把持断面が、例えば２．０×３．１（±０．２）ｍｍの太径光ファイバ２０Ａが配置され、図４に示す空間部５には、細経のドロップ・インドア把持断面が、例えば１．６×２．０（±０．１）ｍｍの細径の光ファイバ２０Ｂが配設される。光ファイバを総称するときは２０を用いる。
【００３４】
図３においた、作業者は太径の光ファイバ２０Ａを空間部５の上方にセットし、指でもしくは道具で太径の光ファイバ２０Ａを空間部５内に押し込む。光ファイバ２０Ａは光ファイバ素線３１および上下一対の支持体３２を光ファイバ外皮３３で被覆した形状をしており、光ファイバ外皮３３の横幅は空間部５の溝幅よりも若干狭いものに設計されているので、光ファイバ２０Ａの押し込みに伴なって、光ファイバ外皮３３は突起１５に食い込んで下方に移動する。底面３４に到達しない適切な位置で押し込みは止められて図３に示す位置に置かれる。この状態では光ファイバ外皮３３は大きな横幅を有しているので、突起１５は光ファイバ外皮３３は大きく食い込むことになる。このような食い込み状態で太径の光ファイバ２０Ａは、空間部５内にケーブルガタツキが低減されて保持され、蓋部２が閉じられる。
【００３５】
図２に示す構造の光ファイバホルダーＢタイプを太径光ファイバに用いる場合、太径光ファイバが突起１５に食い込む時の大きな抵抗力を利用して突起１７を外方に曲げ、図１に示す状態に近い状態を形成して光ファイバ２０Ａの押し込みを行う。
【００３６】
図４において、作業者は、細径の光ファイバ２Ｂを図３に示す空間部５および突起１５が同一構成の空間部５の上方にセット１、指でもしくは道具で細径の光ファイバ２０Ｂを空間部５内に押し込む。対向する一対の突起１５間の空間（１つの側壁にのみ突起１５を設けた場合には突起１５の先端と相手側壁との間の空間）は、光ファイバ外皮３３の横幅よりも狭く設計されているので、押し込みに伴って小さな抵抗で光ファイバ外皮３３は突起１５に食い込むことになる。食い込み量は、太径の光ファイバの場合に比べて浅いものとなるが、食い込むことになることは同じである。細径の光ファイバ２０Ｂにあっては、図４に示すように、上下の高さ方向の断面長さも太細の光ファイバ２０Ａに比べて短くされているので、ある所定量押し込んだ後に、蓋部２を回動して蓋部２に設けた突起１７を光ファイバ外皮３３の上面に当接させ、蓋部２を更に回動させ、突起１７によって更に光ファイバ外皮３３を空間部内方へと押し込み、底部設定板１８上で停止させて載置する。すなわち底部設定板１８は位置決めの機能を備える。この時に、突起１７に加わる抵抗力は小さいので突起１７が折れ曲がることがない。このようにして蓋部２の回動が停止する位置まで突起１７によって光ファイバ外皮３３は押し込まれて図４に示す状態にする。このように、突起１７によって光ファイバ外皮３３の押し込み部が形成され、押し込み部の作用によって光ファイバ２０Ｂは空間部５の一定位置に保持されることになる。光ファイバ２０Ｂの一定位置を定めるように突起１７の突起高さは設計される。このようにハウジング１の構成が同一の構成の２種の光ファイバホルダー１００を用いて、太径および細径のいずれの光ファイバを同一形状の空間部５に保持させることができる。突起１７は細径の光ファイバ外皮３３の上面に当接して下方に押し、突起１５が外皮３３に食い込むので、光ファイバ外皮３３に低摩擦材料で構成したような場合にあっても、光ファイバを保持するための把持力を確保することができる。
【００３７】
図１あるいは図４に示す光ファイバホルダー１００Ａを用いて、太径および細径のいずれかの光ファイバ２０Ａ，２０Ｂを保持するような場合にあっては、細径の光ファイバ２０Ｂを作業者が指でもしくは道具で所定の位置まで押し込めばよい。
【００３８】
このようにすることによって、大きなサイズ（太径）の光ファイバおよび小さなサイズ（細径）の光ファイバの光ファイバ外皮のいずれについても突起１５に食い込ませて、同一形状の光ファイバホルダー１００Ａに異サイズの光ファイバを保持することができる。
【００３９】
前述のように同一形状の光ファイバホルダーを用いる場合には、光ファイバホルダー１００Ｂを用いる。この場合には、突起１７は、押し下げ時の抵抗力によって蓋部２から曲げられ、大きなサイズの光ファイバを押し込みがなされる。大きいサイズの光ファイバを押し込む時に、突起１７は、抵抗力によって切断可能な構造にしておくことができる。
【００４０】
このようにすることによって、小さなサイズの光ファイバを挿入する時には、突起１７を光ファイバ外皮に接触させ、大きいサイズの光ファイバを挿入する時は、突起１７を曲げて光ファイバ外皮に接触させ、蓋部２の突起１７によって、蓋部２が回動された時に光ファイバを空間部５の下方へと押し下げ、この時に側壁から中央部に向けて突出する突起１５が前記光ファイバ外皮に食い込むように作用させ、同一形状の光ファイバホルダーに異サイズの光ファイバを保持するようにすることができる。
【符号の説明】
【００４１】
１…ハウジング、２…蓋部、３…コネクタ部、４…ハウジング本体、５…空間部、６…窪み、７…蓋部、８…固定部、９…係合部、１０…突起部、１７…突起（押し込み部）、２０Ａ，２０Ｂ（２０）…光ファイバ，１００Ａ，１００Ｂ（１００）…光ファイバホルダー。
【図１】
2010197553.tif 000003
【図２】
2010197553.tif 000004
【図３】
2010197553.tif 000005
【図４】
2010197553.tif 000006